(57)【要約】【課題】空気調和が途切れることなく、複数の室外ユニットの切り替えを行うことができ、空気調和性の悪化を防止することのできる空気調和装置を提供する。【解決手段】ＧＨＰ室外ユニット２またはＥＨＰ室外ユニット３を制御するＧＨＰ制御部１００およびＥＨＰ制御部１０１を備え、ＧＨＰ制御部１００およびＥＨＰ制御部１０１は、ＧＨＰ室外ユニット２またはＥＨＰ室外ユニット３の運転を切り替える際に、停止中の室外ユニットを起動させた後、運転中の室外ユニットを停止させて制御する。【選択図】図１
2020020491.tif 000002
【特許請求の範囲】
【請求項１】
複数の室外ユニットをユニット間配管を介して室内ユニットにそれぞれ接続し、前記各室外ユニットを運転して前記室内ユニットにより室内の空調を行う空気調和装置において、
前記室外ユニットを制御する制御部を備え、
前記制御部は、前記室外ユニットの運転を切り替える際に、停止中の前記室外ユニットを起動させた後、運転中の前記室外ユニットを停止させて制御することを特徴とする空気調和装置。
【請求項２】
前記制御部に制御指示信号を送るコントローラ制御部をさらに備え、
停止中の前記室外ユニットの前記制御部は、前記コントローラ制御部により前記室外ユニットの切り替え指示信号を受けたときに、停止中の前記室外ユニットを起動し、運転中の前記室外ユニットの前記制御部は、当該室外ユニットを停止するように制御することを特徴とする請求項１に記載の空気調和装置。
【請求項３】
前記複数の室外ユニットは、エンジンで駆動されるＧＨＰ圧縮機を備えたＧＨＰ室外ユニットおよび商用電源で駆動されるＥＨＰ圧縮機を備えたＥＨＰ室外ユニットであることを特徴とする請求項１または請求項２に記載の空気調和装置。
【発明の詳細な説明】
【技術分野】
【０００１】
本発明は、空気調和装置に係り、特に、ＧＨＰ室外ユニットとＥＨＰ室外ユニットとを併用する空気調和装置に関する。
【背景技術】
【０００２】
一般に、ガスエンジンなどにより駆動される圧縮機が搭載された室外ユニットと、電気により駆動される圧縮機が搭載された室外ユニットとを用いて、室内ユニットによる空調を行う空気調和装置が知られている。
このような空気調和装置として、従来、例えば、能力の高い圧縮機、四方弁、室外熱交換器を備えた第二の室外ユニットと、能力の低い圧縮機、四方弁、室外熱交換器を備えた第一の室外ユニットと、これらの室外ユニットに１つの冷媒系統により接続された室内ユニットと、を備えた空気調和装置が開示されている（例えば、特許文献１参照）。
【先行技術文献】
【特許文献】
【０００３】
【特許文献１】特開２０１７−１５０６８７号公報
【発明の概要】
【発明が解決しようとする課題】
【０００４】
しかしながら、前記従来の空気調和装置では、複数の室外ユニットの運転を切り替える場合、コントローラから運転の切り替え指示が送られ、各室外ユニットは、コントローラからの指示に基づいて停止室外ユニットと運転室外ユニットを切り替える際に、運転室外ユニットと、停止室外ユニットとが個別のタイミングで停止・運転動作を行っていた。
この場合に、停止室外ユニットと運転室外ユニットとが切り替わる際に、運転状態から停止する室外ユニットは速やかに停止するが、停止状態から起動する室外ユニットは所定の起動準備動作を行うため速やかに起動できず、空気調和が一時的に途切れてしまうことがあり、空調性が悪化してしまう場合があった。
本発明は、前記した点に鑑みてなされたものであり、空気調和が途切れることなく、複数の室外ユニットの切り替えを行うことができ、空気調和性の悪化を防止することのできる空気調和装置を提供することを目的とする。
【課題を解決するための手段】
【０００５】
前記目的を達成するため、本発明は、複数の室外ユニットをユニット間配管を介して室内ユニットにそれぞれ接続し、前記各室外ユニットを運転して前記室内ユニットにより室内の空調を行う空気調和装置において、前記室外ユニットを制御する制御部を備え、前記制御部は、前記室外ユニットの運転を切り替える際に、停止中の前記室外ユニットを起動させた後、運転中の前記室外ユニットを停止させるように制御することを特徴とする。
これによれば、制御部により、室外ユニットの運転を切り替える際に、停止中の室外ユニットを起動させた後、運転中の室外ユニットを停止させるように制御するので、空気調和運転が一時的に途切れてしまうことを防止することができ、空気調和の連続した運転を行うことが可能となる。
【発明の効果】
【０００６】
本発明の空気調和装置によれば、空気調和運転が一時的に途切れてしまうことを防止することができ、空気調和性の悪化を防止することができる。
【図面の簡単な説明】
【０００７】
【図１】本発明の実施の形態に係る空気調和装置の構成図
【図２】本実施の形態の制御構成を示すブロック図
【図３】本実施の形態の動作例を示すタイミングチャート
【発明を実施するための形態】
【０００８】
第１の発明は、複数の室外ユニットをユニット間配管を介して室内ユニットにそれぞれ接続し、前記各室外ユニットを運転して前記室内ユニットにより室内の空調を行う空気調和装置において、前記室外ユニットを制御する制御部を備え、前記制御部は、前記室外ユニットの運転を切り替える際に、停止中の前記室外ユニットを起動させた後、運転中の前記室外ユニットを停止させるように制御する。
これによれば、制御部により、室外ユニットの運転を切り替える際に、停止中の室外ユニットを起動させた後、運転中の室外ユニットを停止させるように制御するので、空気調和運転が一時的に途切れてしまうことを防止することができ、連続した空調システムの運転が可能となり、その結果、空気調和性の悪化を防止することができる。
【０００９】
第２の発明は、前記制御部に制御指示信号を送るコントローラ制御部をさらに備え、停止中の前記室外ユニットの前記制御部は、前記コントローラ制御部により前記室外ユニットの切り替え指示信号を受けたときに、停止中の前記室外ユニットを起動し、運転中の前記室外ユニットの前記制御部は、当該室外ユニットを停止するように制御する。
これによれば、コントローラ制御部から送られる切り替え指示信号に基づいて、停止中の室外ユニットの制御部により停止中の室外ユニットを起動し、運転中の前記室外ユニットの前記制御部は、当該室外ユニットを停止するので、コントローラ制御部による切り替え指示信号にかかわらず、各室外ユニットの制御部により、室外ユニットの起動および停止を空調システムの運転が途切れないように制御することができる。その結果、連続した空調システムの運転が可能となり、空気調和性の悪化を防止することができる。
【００１０】
第３の発明は、前記複数の室外ユニットは、エンジンで駆動されるＧＨＰ圧縮機を備えたＧＨＰ室外ユニットおよび商用電源で駆動されるＥＨＰ圧縮機を備えたＥＨＰ室外ユニットである。
これによれば、複数の室外ユニットをＧＨＰ室外ユニットおよびＥＨＰ室外ユニットで構成することができ、ＧＨＰ室外ユニットとＥＨＰ室外ユニットとの運転を切り替える場合に、空調システムの運転が途切れてしまうことがなく、連続した空調システムの運転が可能となり、その結果、空気調和性の悪化を防止することができる。
【００１１】
以下、図面を参照して本発明の実施の形態について説明する。
図１は、本発明に係る空気調和装置の実施の形態を示す構成図である。
図１に示すように、空気調和装置１は、能力の高い圧縮機としてのガスエンジンで駆動される圧縮機を備えたＧＨＰ室外ユニット２（第２の室外ユニット）と、能力の低い圧縮機としての商用電源で駆動される圧縮機を備えたＥＨＰ室外ユニット３（第１の室外ユニット）と、複数の室内ユニット４とを備えている。ＧＨＰ室外ユニット２、ＥＨＰ室外ユニット３および各室内ユニット４とは、ユニット間配管５およびオイルバランス管６を介して接続され、これにより、空調運転を行うための冷凍サイクル回路が構成されている。
【００１２】
ＧＨＰ室外ユニット２は、外部のユニット間配管５と接続するための２つの外部接続バルブ１０ａ，１０ｂおよびオイルバランス管６を接続するためのオイル接続バルブ１１を備えている。
ＧＨＰ室外ユニット２には、エンジンとしてのガスエンジン１２と、ガスエンジン１２の駆動力により冷媒を圧縮するＧＨＰ圧縮機１３とが設けられている。ＧＨＰ圧縮機１３は、並列に設けられる第１のＧＨＰ圧縮機１３ａおよび第２のＧＨＰ圧縮機１３ｂから構成されている。
ガスエンジン１２は、燃料調整弁（図示せず）を経て供給されるガスなどの燃料と、スロットル弁（図示せず）を経て供給される空気との混合気を燃焼させて駆動力を発生するようになっている。
ガスエンジン１２の出力軸と、ＧＨＰ圧縮機１３の従動軸との間には、駆動ベルト１４が掛け渡されており、ガスエンジン１２の駆動力を駆動ベルト１４を介して伝達することで、ＧＨＰ圧縮機１３を駆動するように構成されている。
【００１３】
ＧＨＰ圧縮機１３の吐出側には、オイルセパレータ１５、四方弁１６および２つの室外熱交換器１７，１７が順に接続され、各室外熱交換器１７は、冷媒配管２０を介して一方の外部接続バルブ１０ａに接続されている。室外熱交換器１７の近傍には、室外熱交換器１７と外気との熱交換を行うための室外送風機１８が設けられている。
また、他方の外部接続バルブ１０ｂには、冷媒配管２０が接続されており、この冷媒配管２０は、途中四方弁１６およびアキュムレータ１９を介してＧＨＰ圧縮機１３の吸込側に接続されている。
【００１４】
冷媒配管２０の中途部には、電動弁２４と逆止弁２５とが並列に接続されており、冷媒配管２０には、アキュムレータ１９の流入側に接続されるリキッド管２２が接続されている。室外熱交換器１７と外部接続バルブ１０ａとの間には、ドライコア３９が設けられている。
また、ＧＨＰ圧縮機１３の吸込側と冷媒配管２０との間には、ＧＨＰ圧縮機１３の吸込側と冷媒配管２０とを接続する熱交換冷媒配管２３が接続されており、この熱交換冷媒配管２３には、電動弁２６が設けられている。熱交換冷媒配管２３の電動弁２６とＧＨＰ圧縮機１３の吸込側との間には、プレート型熱交換器２７が設けられている。
【００１５】
ＧＨＰ室外ユニット２は、ＧＨＰ圧縮機１３の吐出側と吸込側とを接続するバイパス管２８を備えている。バイパス管２８の一端は、オイルセパレータ１５と四方弁１６との間に接続され、バイパス管２８の他端は、アキュムレータ１９と四方弁１６との間に接続される。ＧＨＰ圧縮機１３の吐出側の冷媒の一部は、圧力差により、バイパス管２８を通ってＧＨＰ圧縮機１３の吸込側に流れる。
バイパス管２８には、バイパス管２８の流量を調整するバイパス弁２９が設けられている。バイパス弁２９は、段階的に開閉可能な電動弁である。
【００１６】
ＧＨＰ室外ユニット２は、オイルセパレータ１５とＧＨＰ圧縮機１３の吸込側とを接続するオイル戻し配管３０を備えている。オイルセパレータ１５の内部に貯留される潤滑用のオイルは、ＧＨＰ圧縮機１３の吐出側と吸込側との圧力差により、オイル戻し配管３０を通って吸込側に流される。
【００１７】
オイル戻し配管３０は、オイルセパレータ１５のオイル流出口とＧＨＰ圧縮機１３の吸込側とを接続する第１の戻し管３１と、第１の戻し管３１に対して並列に設けられる第２の戻し管３６とを備えている。
第１の戻し管３１は、キャピラリチューブ３２を備えている。
第２の戻し管３６は、キャピラリチューブ３２をバイパスするように第１の戻し管３１に接続されており、第２の戻し管３６の一端は、第１の戻し管３１におけるキャピラリチューブ３２の上流側に接続され、第２の戻し管３６の他端は、第１の戻し管３１におけるキャピラリチューブ３２の下流側に接続される。
第２の戻し管３６は、キャピラリチューブ３３と、キャピラリチューブ３３の下流に設けられるオイル戻し弁３４とを備えている。
【００１８】
オイル接続バルブ１１には、オイル管３５が接続されている。オイル管３５は、途中で分岐し、その一方は、冷媒配管２０のオイルセパレータ１５より下流側に接続されるとともに、他方は、第２の戻し管３６のキャピラリチューブ３３とオイル戻し弁３４との間に接続されている。
【００１９】
冷媒配管２０に接続される外部接続バルブ１０ａには、ユニット間配管５を介して各室内ユニット４の室内熱交換器４０の一端が接続されている。ユニット間配管５の中途部には、膨張弁４１が設けられている。
各室内ユニット４の内部には、室内熱交換器４０と室内空気との熱交換を行うための室内送風機４２が設けられている。
また、各室内熱交換器４０の他端には、ユニット間配管５を介して冷媒配管２０に接続される外部接続バルブ１０ｂが接続されている。
【００２０】
また、ＧＨＰ室外ユニット２は、ガスエンジン１２の冷却水回路５０を備えている。
冷却水回路５０は、ガスエンジン１２から冷却水配管５１を介して順に接続される冷却水三方弁５２と、プレート型熱交換器２７と、一方の室外熱交換器１７に近接配置されたラジエータ５３と、冷却水ポンプ５４と、ガスエンジン１２の排気ガス熱交換器５５とを備え、冷却水ポンプ５４を駆動することにより、この回路内に冷却水を循環させるように構成されている。
冷却水回路５０の冷却水配管５１は、図１に二重線で示されるとともに、冷却水の流れは、実線の矢印で示される。
ラジエータ５３では、外気と冷却水との熱交換が行われる。
また、プレート型熱交換器２７では、電動弁２６の動作で、ＧＨＰ圧縮機１３に戻る冷媒が冷却水配管５１内を流れる冷却水によって加熱される。これにより、冷媒の低圧圧力が上昇し、暖房効率が向上する。
【００２１】
冷却水回路５０は、ガスエンジン１２、冷却水三方弁５２、ラジエータ５３、冷却水ポンプ５４、排気ガス熱交換器５５およびガスエンジン１２の順に冷却水が流れる第１経路を形成可能である。
また、冷却水回路５０は、冷却水を、ガスエンジン１２、冷却水三方弁５２、プレート型熱交換器２７、冷却水ポンプ５４、排気ガス熱交換器５５およびガスエンジン１２の順に冷却水が流れる第２経路を形成可能である。
【００２２】
ラジエータ５３と冷却水三方弁５２を接続する第１経路の途中には、温水三方弁５６が設けられている。温水三方弁５６には、冷却水と温水との熱交換を行う温水熱交換器５７が接続されており、温水熱交換器５７を通った冷却水は、冷却水ポンプ５４の上流側に戻される。
【００２３】
次に、ＥＨＰ室外ユニット３について説明する。
ＥＨＰ室外ユニット３は、外部のユニット間配管５と接続するための２つの外部接続バルブ６０およびオイルバランス管６を接続するためのオイル接続バルブ６１を備えている。
ＥＨＰ室外ユニット３は、商用電源で駆動されるＥＨＰ圧縮機６２を備えている。このＥＨＰ圧縮機６２は、例えば、出力を可変することのできるインバータ式の圧縮機とされている。
【００２４】
ＥＨＰ圧縮機６２の吐出側には、オイルセパレータ６３、四方弁６４および２つの室外熱交換器６５，６５が順に接続され、室外熱交換器６５は、冷媒配管６６を介して一方の外部接続バルブ６０ａに接続されている。室外熱交換器６５の近傍には、室外熱交換器６５と外気との熱交換を行うための室外送風機１０５（図２を参照）が設けられている。
室外熱交換器６５と外部接続バルブ６０ａとの間には、過冷却熱交換器９０が設けられている。
室外熱交換器６５には、２系統の管路が形成されており、四方弁６４側の冷媒配管６６および過冷却熱交換器９０側の冷媒配管６６は、それぞれ分岐して室外熱交換器６５に接続されるように構成されている。また、室外熱交換器６５の過冷却熱交換器９０側の冷媒配管６６には、それぞれ室外用電子制御弁６８，６８が設けられている。
【００２５】
過冷却熱交換器９０は、２つの熱交換ユニット９１，９１を備えており、室外熱交換器６５側の冷媒配管６６および外部接続バルブ６０ａ側の冷媒配管６７は、それぞれ分岐して過冷却熱交換器９０の各熱交換ユニット９１に接続されるように構成されている。
各熱交換ユニット９１は、本実施の形態においては、二重管式の熱交換器とされており、熱交換ユニット９１の外側の配管には、室外熱交換器６５側の冷媒配管６６および外部接続バルブ６０ａ側の冷媒配管６７がそれぞれ接続されるように構成されている。
【００２６】
過冷却熱交換器９０と外部接続バルブ６０ａとを接続する冷媒配管６７の中途部には、過冷却用分岐配管９２が接続されており、この過冷却用分岐配管９２は、途中、過冷却用電子制御弁９３を介して、各熱交換ユニット９１の内側配管９４に接続されている。熱交換ユニット９１の内側配管９４を流れた冷媒は、過冷却冷媒配管９５を介して四方弁６４とアキュムレータ６９との間の冷媒配管６６に戻されるように構成されている。
【００２７】
他方の外部接続バルブ６０ｂには、冷媒配管６６を介して、ＥＨＰ圧縮機６２の吸込側に接続されており、冷媒配管６６の中途部には、四方弁６４およびアキュムレータ６９が設けられている。
【００２８】
また、ＥＨＰ圧縮機６２とオイルセパレータ６３との間の冷媒配管６６の中途部には、分岐してＥＨＰ圧縮機６２とアキュムレータ６９との間の冷媒配管６６に接続される冷媒戻し配管７０が設けられている。冷媒戻し配管７０の中途部には、冷媒戻し用電磁弁７１が設けられている。そして、冷媒戻し用電磁弁７１を開くと、冷媒の一部は、冷凍サイクルを循環せずにＥＨＰ圧縮機６２の吸込側に導かれる。
【００２９】
また、オイルセパレータ６３の下部には、オイル管７２が接続されており、オイル管７２の中途部には、ＥＨＰ圧縮機６２の吸込側に接続されるオイル戻し配管７３が接続されている。オイル戻し配管７３は、オイル管７２から分岐する２つの分岐管７４，７５を備えており、一方の分岐管７４には、オイル戻し弁７６が設けられるとともに、他方の分岐管７５には、キャピラリチューブ７８が設けられている。また、オイル管７２の各分岐管７４，７５の接続部分の間には、キャピラリチューブ７９が設けられている。
【００３０】
オイルセパレータ６３と四方弁６４との間の冷媒配管６６の中途部には、途中分岐してオイル管７２の中途部に接続される高圧冷媒配管８０が接続されている。高圧冷媒配管８０の中途部には、高圧冷媒用電磁弁８１が設けられている。
【００３１】
また、アキュムレータ６９は、冷媒配管６６の冷媒が流入される流入管８２と、アキュムレータ６９の内部のガス冷媒をＥＨＰ圧縮機６２に送る流出管８３とを備えている。流出管８３は、アキュムレータ６９の内部上方に開口するように構成されており、アキュムレータ６９の内部上方に溜まったガス冷媒をＥＨＰ圧縮機６２に送るように構成されている。
また、ＥＨＰ圧縮機６２には、ＥＨＰ圧縮機６２の吸込側に接続されるオーバーフロー管８４が接続されている。このオーバーフロー管８４には、ストレーナ８５と、油を減圧するための絞り８６が組み込まれている。
【００３２】
ＥＨＰ室外ユニット３の外部接続バルブ６０ａには、ユニット間配管５の一端が接続され、このユニット間配管５の他端は、ＧＨＰ室外ユニット２の外部接続バルブ１０ａと室内ユニット４とを接続するユニット間配管５の中途部に接続されている。ＥＨＰ室外ユニット３の冷媒配管に接続される外部接続バルブ６０ｂには、ユニット間配管５の一端が接続され、このユニット間配管５の他端は、ＧＨＰ室外ユニット２の外部接続バルブ１０ｂと室内ユニット４とを接続するユニット間配管５の中途部に接続されている。
【００３３】
また、ＥＨＰ室外ユニット３のオイル接続バルブ６１と、ＧＨＰ室外ユニット２のオイル接続バルブ１１とは、オイルバランス配管６を介して接続されている。これにより、オイルバランス配管６を介して、ＧＨＰ室外ユニット２のＧＨＰ圧縮機１３と、ＥＨＰ室外ユニット３のＥＨＰ圧縮機６２との間で、オイルを互いに供給することでき、ＧＨＰ室外ユニット２のＥＨＰ圧縮機６２と、ＥＨＰ室外ユニット３のＥＨＰ圧縮機６２とのオイル量のバランスを保持することができる。
そして、冷房運転を行う場合には、図１中実線矢印で示すように、冷媒が流れ、暖房運転を行う場合は、図１中破線で示すように、冷媒が流れる。
【００３４】
次に、本実施の形態の空気調和装置の制御構成について説明する。図２は本実施の形態における制御構成を示すブロック図である。
図２に示すように、本実施の形態においては、ＧＨＰ室外ユニット２は、制御部としてのＧＨＰ制御部１００を備えており、ＥＨＰ室外ユニット３は、制御部としてのＥＨＰ制御部１０１を備えている。また、室内ユニット４は、それぞれ室内制御部１０２を備えている。
【００３５】
また、本実施の形態においては、空気調和装置は、ＧＨＰ室外ユニット２、ＥＨＰ室外ユニット３および室内ユニット４に、制御指示信号を送るコントローラ１１０を備えている。
コントローラ１１０は、ＧＨＰ制御部１００、ＥＨＰ制御部１０１および室内制御部１０２を統括して制御するためのコントローラ制御部１１１を備えている。
これらＧＨＰ制御部１００、ＥＨＰ制御部１０１、室内制御部１０２およびコントローラ制御部１１１は、例えば、ＣＰＵなどの演算処理回路、記憶手段としてのＲＯＭ、ＲＡＭなどを備え、所定のプログラムを実行することにより、所定の制御を行うものである。
【００３６】
ＧＨＰ制御部１００は、ＧＨＰ室外ユニット２のガスエンジン１２、室外送風機１８および冷却水ポンプ５４の駆動制御を行うとともに、ＧＨＰ室外ユニット２の外部接続バルブ１０ａ，１０ｂ、オイル接続バルブ１１、電動弁２４、電動弁２６、バイパス弁２９、オイル戻し弁３４および冷却水三方弁５２の開閉制御または開度制御を行うように構成されている。
ＥＨＰ制御部１０１は、ＥＨＰ室外ユニット３のＥＨＰ圧縮機６２、室外送風機１０５の駆動制御を行うとともに、ＥＨＰ室外ユニット３の外部接続バルブ６０ａ，６０ｂ、オイル接続バルブ６１、室外用電子制御弁６８、冷媒戻し用電磁弁７１、オイル戻し弁７６、高圧冷媒用電磁弁８１および過冷却用電子制御弁２２の開閉制御または開度制御を行うように構成されている。
【００３７】
室内制御部１０２は、室内ユニット４の室内送風機４２の駆動制御を行うとともに、室内ユニット４の膨張弁４１の開度制御を行うように構成されている。
これらＧＨＰ制御部１００、ＥＨＰ制御部１０１および室内制御部１０２による制御は、コントローラ制御部１１１から送られる制御指示信号に基づいて行われる。
このとき、本実施の形態においては、ＧＨＰ制御部１００はマスター、ＥＨＰ制御部１０１および室内制御部１０２はスレイブに設定されており、コントローラ制御部１１１からの制御指示信号は、最初にＧＨＰ制御部１００に送信され、この制御指示信号は、ＧＨＰ制御部１００からＥＨＰ制御部１０１、室内制御部１０２に順次送信されるように構成されている。
【００３８】
本実施の形態においては、ＧＨＰ室外ユニット２およびＥＨＰ室外ユニット３は、冷房負荷に応じて、出力を調整する。例えば、冷房負荷が低負荷の場合は、ＥＨＰ室外ユニット３により駆動し、冷房負荷が増加するに従い、ＥＨＰ室外ユニット３を停止するとともに、ＧＨＰ室外ユニット２を起動する。冷房負荷が高負荷になると、ＧＨＰ室外ユニット２の駆動に加え、ＥＨＰ室外ユニット３を駆動する。
システム制御部１０３は、室内ユニット４の運転台数、設定温度、外気温度などに基づいて、ＧＨＰ室外ユニット２、ＥＨＰ室外ユニット３および室内ユニット４を制御することで、ＧＨＰ室外ユニット２による運転と、ＥＨＰ室外ユニット３による運転とが、最も省エネルギになるように、ＧＨＰ制御部１００、ＥＨＰ制御部１０１および室内制御部１０２に制御信号を出力する。これにより、ＧＨＰ制御部１００によりＧＨＰ室外ユニット２の運転制御、ＥＨＰ制御部１０１によりＥＨＰ室外ユニット３の運転制御、室内制御部１０２により室内ユニット４の運転制御をそれぞれ効率よく行うように構成されている。
【００３９】
この場合に、本実施の形態においては、コントローラ制御部１１１は、ＧＨＰ室外ユニット２とＥＨＰ室外ユニット３との運転を切り替える場合には、ＧＨＰ制御部１００およびＥＨＰ制御部１０１に切り替え指示信号を送る。
例えば、ＥＨＰ室外ユニット３を運転中に、ＥＨＰ室外ユニット３を停止させてＧＨＰ室外ユニット２に運転を切り替える場合は、コントローラ制御部１１１は、ＧＨＰ制御部１００に、ＧＨＰ室外ユニット２を起動させるための起動指示信号を送る。そして、ＧＨＰ制御部１００は、コントローラ制御部１１１からの起動指示信号に基づいてＧＨＰ室外ユニット２のガスエンジン１２を起動し、ＧＨＰ室外ユニット２を起動させる。
ＧＨＰ室外ユニット２の起動が完了した場合、ＧＨＰ制御部は、ＥＨＰ制御部に停止指示信号を送り、この停止指示信号に基づいて、ＥＨＰ制御部１０１は、ＥＨＰ室外ユニット３を停止させるように制御する。
【００４０】
また、ＧＨＰ室外ユニット２を運転中に、ＧＨＰ室外ユニット２を停止させてＥＨＰ室外ユニット３に運転を切り替える場合は、コントローラ制御部１１１は、ＧＨＰ制御部にＥＨＰ室外ユニットの起動指示信号を送り、ＧＨＰ制御部は、ＥＨＰ制御部にコントローラ制御部からの起動指示信号を送る。これにより、ＥＨＰ制御部１０１は、起動指示信号に基づいてＥＨＰ室外ユニット３のＥＨＰ圧縮機６２を起動し、ＥＨＰ室外ユニット３を起動させる。
そして、ＧＨＰ制御部は、ＥＨＰ室外ユニットの起動状態を監視し、ＥＨＰ室外ユニットの起動が完了したと判断した場合は、ＧＨＰ制御部１００は、ＧＨＰ室外ユニット２を停止させるように制御する。
これにより、運転が一時的に停止してしまうことがなく、連続運転が可能となる。
【００４１】
次に、本実施の形態の動作について、図３に示すタイミングチャートを参照して説明する。
図３はＧＨＰ室外ユニット２とＥＨＰ室外ユニット３との運転および停止のタイミングチャート例である。
図３に示すように、本実施の形態においては、まず、ＧＨＰ室外ユニット２およびＥＨＰ室外ユニット３が停止している状態から、ＥＨＰ室外ユニット３を起動させる場合について説明する。
コントローラ制御部１１１は、ＥＨＰ制御部１０１に起動指示信号を送り、ＥＨＰ制御部１０１は、起動指示信号に基づいて、ＥＨＰ圧縮機６２を起動する。この状態で、空調システムの運転が開始される。
【００４２】
そして、ＥＨＰ室外ユニット３が運転している状態から、ＧＨＰ室外ユニット２に運転を切り替える場合は、コントローラ制御部１１１は、ＧＨＰ制御部１００に、ＧＨＰ室外ユニット２を起動させるための起動指示信号を送る。そして、ＧＨＰ制御部１００は、コントローラ制御部１１１からの起動指示信号に基づいてＧＨＰ室外ユニット２のガスエンジン１２を起動し、ＧＨＰ室外ユニット２を起動させる。ＧＨＰ室外ユニット２の起動が完了した場合、ＧＨＰ制御部は、ＥＨＰ制御部に停止指示信号を送り、この停止指示信号に基づいて、ＥＨＰ制御部１０１は、ＥＨＰ室外ユニット３を停止させる。
これにより、ＥＨＰ室外ユニット３からＧＨＰ室外ユニット２に運転を切り替える場合に、空調システムの運転が途切れてしまうことがなく、連続した空調システムの運転が可能となる。
【００４３】
また、ＧＨＰ室外ユニット２が運転しており、ＥＨＰ室外ユニット３が停止している状態から、ＥＨＰ室外ユニット３を起動させる場合は、コントローラ制御部１１１は、ＧＨＰ制御部にＥＨＰ室外ユニットの起動指示信号を送り、ＧＨＰ制御部は、ＥＨＰ制御部にコントローラ制御部からの起動指示信号を送る。これにより、ＥＨＰ制御部１０１は、起動指示信号に基づいてＥＨＰ室外ユニット３のＥＨＰ圧縮機６２を起動し、ＥＨＰ室外ユニット３を起動させる。
そして、ＧＨＰ制御部は、ＥＨＰ室外ユニットの起動状態を監視し、ＥＨＰ室外ユニットの起動が完了したと判断した場合は、ＧＨＰ制御部１００は、ＧＨＰ室外ユニット２を停止させる。
これにより、ＧＨＰ室外ユニット２からＥＨＰ室外ユニット３に運転を切り替える場合にも、空調システムの運転が途切れてしまうことがなく、連続した空調システムの運転が可能となる。
【００４４】
以上説明したように、本実施の形態においては、ＧＨＰ制御部１００およびＥＨＰ制御部１０１に制御指示信号を送るコントローラ制御部１１１を備え、ＧＨＰ制御部１００またはＥＨＰ制御部１０１は、コントローラ制御部１１１によりＧＨＰ室外ユニット２またはＥＨＰ室外ユニット３の切り替え指示信号を受けたときに、停止中のＧＨＰ室外ユニット２またはＥＨＰ室外ユニット３を起動し、ＧＨＰ室外ユニット２またはＥＨＰ室外ユニット３のＧＨＰ制御部１００またはＥＨＰ制御部１０１は、ＧＨＰ室外ユニット２またはＥＨＰ室外ユニット３の起動が完了したら、運転中のＧＨＰ室外ユニット２またはＥＨＰ室外ユニット３を停止させるように制御する。
【００４５】
これによれば、ＧＨＰ室外ユニット２またはＥＨＰ室外ユニット３の起動が完了した後に、運転中の室外ユニットのＧＨＰ制御部１００またはＥＨＰ制御部１０１により、ＧＨＰ室外ユニット２またはＥＨＰ室外ユニット３を停止させるので、コントローラ制御部１１１による切り替え指示信号にかかわらず、ＧＨＰ制御部１００またはＥＨＰ制御部１０１により、ＧＨＰ室外ユニット２またはＥＨＰ室外ユニット３の起動および停止を空調システムの運転が途切れないように制御することができる。その結果、連続した空調システムの運転が可能となり、空気調和性の悪化を防止することができる。
【００４６】
なお、前記実施の形態は本発明を適用した一態様を示すものであって、本発明は前記実施の形態に限定されるものではない。
前記実施の形態においては、複数の室外ユニットとして、ＧＨＰ室外ユニット２およびＥＨＰ室外ユニット３で構成した場合について説明したが、本発明はこれに限定されない。例えば、室外ユニットを複数のＧＨＰ室外ユニット２のみで構成してもよいし、複数のＥＨＰ室外ユニット３のみで構成してもよい。
【００４７】
また、前記実施の形態では、ＧＨＰ制御部１００をマスター、ＥＨＰ制御部１０１をスレイブに設定した場合の例について説明したが、本発明はこれに限定されない。例えば、ＥＨＰ制御部１０１をマスター、ＧＨＰ制御部１００をスレイブに設定し、コントローラ制御部１１１からの制御指示信号を、最初にＥＨＰ制御部１０１に送信するようにしてもよい。
また、マスター、スレイブの設定を行わず、ＧＨＰ制御部１００、ＥＨＰ制御部１０１および室内制御部１０２を並列にコントローラ制御部１１１に接続し、コントローラ制御部１１１からＧＨＰ制御部１００、ＥＨＰ制御部１０１および室内制御部１０２に個別に制御指示信号を送信するようにしてもよい。
【産業上の利用可能性】
【００４８】
以上のように、本発明に係る空気調和装置は、複数の室外ユニットを切り替えて運転を行う場合に、各室外ユニットによる運転を停止させることなく、連続して運転することができる空気調和装置として好適に利用可能である。
【符号の説明】
【００４９】
１  空気調和装置
２  ＧＨＰ室外ユニット
３  ＥＨＰ室外ユニット
４  室内ユニット
１２  ガスエンジン
１３  ＧＨＰ圧縮機
１５  オイルセパレータ
１７,６５  室外熱交換器
４０  室内熱交換器
６２  ＥＨＰ圧縮機
１００  ＧＨＰ制御部
１０１  ＥＨＰ制御部
１０２  室内制御部
１１０  コントローラ
１１１  コントローラ制御部
【図１】
2020020491.tif 000003
【図２】
2020020491.tif 000004
【図３】
2020020491.tif 000005